(57)【要約】      （修正有）【課題】挟持部で押圧挟持したチューブが前記挟持部から外れることなく確実にチューブを閉塞することができるクランプを提供する。【解決手段】係合突部４ａに係合する係止部６ａを形成し、前記屈曲部８と前記連結部１４にチューブ１５の挿入孔１０ａ、１０bを形成し、前記係合突部４ａの両外側に壁９ｂを形成し、前記係止部６ａの下部に、係合溝５ａを形成し、前記係合突部４ａの壁９ｂの両側内壁面が、前記係止部６ａ及び前記連結部１４の両側外壁面に沿って係入し、前記係合突部４ａの先端天壁面が前記係合溝５ａの上部に隣接する係止部６ａの底部壁面と係合し、前記壁９ｂの両側内壁面が、前記係合突部４ａの左右の動きをブロックして、左右に動かないように固定できるように形成したクランプ２１Ｂ。【選択図】図７
2005169146.tif 000002
【特許請求の範囲】
【請求項１】
チューブを押圧挟持してチューブを閉塞することができる挟持部（７ａ）を、下部に形成した封止部材（３）と、
前記封止部材（３）に形成した挟持部（７ａ）とともに、チューブを押圧挟持してチューブを閉塞することができる挟持部（７ｂ）を、上部に形成した底部（２）を有し、
前記底部（２）と前記封止部材（３）を、相互に連結する屈曲部（８）を介して一体に形成し、
前記封止部材（３）の先端に係合突部（４）を形成し、
前記底部（２）の前記屈曲部（８）と反対側に、上方向に立ち上がる連結部（１４）を形成し、当該連結部（１４）の上部に前記係合突部（４）に係合する係止部（６ａ）を形成し、
前記屈曲部（８）と前記連結部（１４）にチューブ（１５）の挿入孔（１０ａ、１０ｂ）を形成し、
前記係合突部（４ａ）の両外側に壁（９ｂ）を形成し、
前記係止部（６ａ）の下部に、係合溝（５ａ）を形成し、
前記係合突部（４ａ）の壁（９ｂ）の両側内壁面が、前記係止部（６ａ）及び前記連結部（１４）の両側外壁面に沿って係入し、前記係合突部（４ａ）の先端天壁面が前記係合溝（５ａ）の上部に隣接する係止部（６）の底部壁面と係合し、
前記壁（９ｂ）の両側内壁面が、前記係合突部（４ａ）の左右の動きをブロックして、左右に動かないように固定できるように形成したことを特徴とするクランプ（２１Ｂ）。
【請求項２】
チューブを押圧挟持してチューブを閉塞することができる挟持部（７ａ）を、下部に形成した封止部材（３）と、
前記封止部材（３）に形成した挟持部（７ａ）とともに、チューブを押圧挟持してチューブを閉塞することができる挟持部（７ｂ）を、上部に形成した底部（２）を有し、
前記底部（２）と前記封止部材（３）を、相互に連結する屈曲部（８）を介して一体に形成し、
前記封止部材（３）の先端に係合突部（４）を形成し、
前記底部（２）の前記屈曲部（８）と反対側に、上方向に立ち上がる連結部（１４）を形成し、当該連結部（１４）の上部に前記係合突部（４）に係合する係止部（６ａ）を形成し、
前記屈曲部（８）と前記連結部（１４）にチューブ（１５）の挿入孔（１０ａ、１０ｂ）を形成し、
前記係止部（６ａ）の下部に、係合溝（５ａ）を形成し、前記係止部（６ａ）及び連結部（１４）の両外壁側に亘って壁（９ａ）を形成し、
前記係合突部（４ａ）の両側外壁面が、前記壁（９ａ）の両側内壁面に沿って係入し、前記係合突部（４ａ）の先端天壁面が前記係合溝（５ａ）の上部に隣接する係止部（６ａ）の底部壁面と係合し、
前記壁（９ａ）の両側内壁面が、前記係合突部（４ａ）の左右の動きをブロックして、左右に動かないように固定できるように形成したことを特徴とするクランプ（２１Ａ）。
【請求項３】
前記連結部（１４）の両側に壁（９）を形成したことを特徴とする前記請求項１ないし２に記載のクランプ（２１Ａ、２１Ｂ）。
【請求項４】
前記請求項１ないし３に記載のクランプ（２１Ａ、２１Ｂ）を装着したことを特徴とする医療用具。
【発明の詳細な説明】
【技術分野】
【０００１】
本発明はクランプ及び該クランプを装着した透析用血液回路や高カロリー輸液バックや輸液セット等の医療用具の改良に関する。
【背景技術】
【０００２】
図８は従来のクランプ３１の概略図で（ａ）は側面図と（ｂ）は斜視図である。クランプ３１は押圧部１２を押して係合突部３４を係合溝３５に係合する時に屈曲部８の力が封止部材３３と押圧部１２を介して前記係合突部３４に伝導するので左右に動きやすい。そして前記係合突部３４と係合溝３５の係合状態は前記係合突部３４の先端天壁面が係止部３６の下部に形成した前記係合溝３５だけで係合しており、係合溝３５又は係合突部３４の両側に該係合突部３４の動きをブロックする物がない為に前記係合突部３４が左右に動いてしまう。その為封止部材３３の下部と底部２の上部に形成した挟持部７ａ、７ｂも同様に左右に動き、チューブ１５を確実に挟持、閉塞ができず、場合によっては係合突部３４と係合溝３５の係合が外れてしまうことも有り得る状況であった。そこで本発明者は以上の課題を解決する為に、鋭意検討を重ねた結果次の発明に到達した。
【０００３】
【特許文献１】特開平１０−１６９６１８号（特許請求の範囲）
【特許文献２】特開平５−３２９２１０号（特許請求の範囲）
【発明の開示】
【発明が解決しようとする課題】
【０００４】
本発明が解決しようとする問題点は、従来のクランプ３１は、係合溝３５又は係合突部３４の両側に該係合突部３４の動きをブロックする物がない為に前記係合突部３４が左右に動いてしまう。その為封止部材３３の下部と底部２の上部に形成した挟持部７ａ、７ｂも同様に左右に動き、チューブ１５を確実に挟持、閉塞ができず、場合によっては係合突部３４と係合溝３５の係合が外れてしまう点である。
【課題を解決するための手段】
【０００５】
［１］本発明は、チューブを押圧挟持してチューブを閉塞することができる挟持部（７ａ）を、下部に形成した封止部材（３）と、
前記封止部材（３）に形成した挟持部（７ａ）とともに、チューブを押圧挟持してチューブを閉塞することができる挟持部（７ｂ）を、上部に形成した底部（２）を有し、
前記底部（２）と前記封止部材（３）を、相互に連結する屈曲部（８）を介して一体に形成し、
前記封止部材（３）の先端に係合突部（４）を形成し、
前記底部（２）の前記屈曲部（８）と反対側に、上方向に立ち上がる連結部（１４）を形成し、当該連結部（１４）の上部に前記係合突部（４）に係合する係止部（６ａ）を形成し、
前記屈曲部（８）と前記連結部（１４）にチューブ（１５）の挿入孔（１０ａ、１０ｂ）を形成し、
前記係合突部（４ａ）の両外側に壁（９ｂ）を形成し、
前記係止部（６ａ）の下部に、係合溝（５ａ）を形成し、
前記係合突部（４ａ）の壁（９ｂ）の両側内壁面が、前記係止部（６ａ）及び前記連結部（１４）の両側外壁面に沿って係入し、前記係合突部（４ａ）の先端天壁面が前記係合溝（５ａ）の上部に隣接する係止部（６）の底部壁面と係合し、
前記壁（９ｂ）の両側内壁面が、前記係合突部（４ａ）の左右の動きをブロックして、左右に動かないように固定できるように形成したクランプ（２１Ｂ）を提供する。
［２］本発明は、チューブを押圧挟持してチューブを閉塞することができる挟持部（７ａ）を、下部に形成した封止部材（３）と、
前記封止部材（３）に形成した挟持部（７ａ）とともに、チューブを押圧挟持してチューブを閉塞することができる挟持部（７ｂ）を、上部に形成した底部（２）を有し、
前記底部（２）と前記封止部材（３）を、相互に連結する屈曲部（８）を介して一体に形成し、
前記封止部材（３）の先端に係合突部（４）を形成し、
前記底部（２）の前記屈曲部（８）と反対側に、上方向に立ち上がる連結部（１４）を形成し、当該連結部（１４）の上部に前記係合突部（４）に係合する係止部（６ａ）を形成し、
前記屈曲部（８）と前記連結部（１４）にチューブ（１５）の挿入孔（１０ａ、１０ｂ）を形成し、
前記係止部（６ａ）の下部に、係合溝（５ａ）を形成し、前記係止部（６ａ）及び連結部（１４）の両外壁側に亘って壁（９ａ）を形成し、
前記係合突部（４ａ）の両側外壁面が、前記壁（９ａ）の両側内壁面に沿って係入し、前記係合突部（４ａ）の先端天壁面が前記係合溝（５ａ）の上部に隣接する係止部（６ａ）の底部壁面と係合し、
前記壁（９ａ）の両側内壁面が、前記係合突部（４ａ）の左右の動きをブロックして、左右に動かないように固定できるように形成したクランプ（２１Ａ）を提供する。
［３］本発明は、前記連結部（１４）の両側に壁（９）を形成した前記［１］ないし［２］に記載のクランプ（２１Ａ、２１Ｂ）を提供する。
［４］本発明は、前記［１］ないし［３］に記載のクランプ（２１Ａ、２１Ｂ）を装着した医療用具を提供する。
【発明の効果】
【０００６】
本発明のクランプ２１Ａ、２１Ｂは、前記封止部材３の先端に形成した係合突部４ａが左右に動かないように、壁９ａ、９ｂを形成することで、クランプ２１Ａでは前記係合突部４ａの両側外壁面が壁９ａの両側内壁面に、クランプ２１Ｂでは前記壁９ｂの両側内壁面が係止部６ａ及び連結部１４の両側外壁面にそれぞれ係入され、前記係合突部４ａの先端天壁面が係合溝５ａの両側に隣接する係止部６ａの両側内壁面または係合溝５ａとそれぞれ係合し、押圧挟持したチューブ１５が前記挟持部７ａ、７ｂから外れることなく確実にチューブ１５を閉塞することができる。また更に安全性を増す為に連結部１４の両側に壁９を形成することでチューブ１５が挟持部７ａ、７ｂの間から外れない様にすることができる。
【発明を実施するための最良の形態】
【０００７】
図１は参考例のチューブ１５を通したクランプ１を解放した時（遮断前）の展開図で、（ａ）は該クランプ１の側面図で、（ｂ）は平面図、（ｃ）は正面図、（ｄ）は背面図、（ｅ）はＡ−Ａ′の断面図、（ｆ）はＢ−Ｂ′の断面図である。図２は該クランプ１の斜視図である。前記封止部材３は屈曲部８を介して底部２と一体に形成され、前記底部２の上部に連結部１４を介して係止部６が形成されている。前記封止部材３の下部に挟持部７ａと前記底部２の上部に挟持部７ｂを形成し、前記屈曲部８と連結部１４の略中腹部に挿入孔１０ａ、１０ｂが形成されている。チューブ１５は前記挿入孔１０ａ、１０ｂに通して前記挟持部７ａと７ｂの間に配置される。前記封止部材３の前方上部には波状の押圧部１２が形成され、その先端には該封止部材３の幅より狭く形成され且つ先細りの係合突部４を形成し、前記係止部６の下部に該係止部６の幅より狭い四角形状の係合溝５が形成されている。さらに前記連結部１４の両側に壁９が形成されている。
【０００８】
図３は参考例のチューブ１５を通したクランプ１を閉じた時の展開図で、（ａ）は該クランプ１の側面図で、（ｂ）は平面図、（ｃ）は正面図、（ｄ）は背面図、（ｅ）はＡ−Ａ′の断面図、（ｆ）はＢ−Ｂ′の断面図である。図４は図３の（ａ）クランプ１の斜視図である。前記クランプ１に装着したチューブ１５を閉塞するには、封止部材３の前方上部に形成した押圧部１２を指で押し、封止部材３先端の係合突部４が係止部６の内側の傾斜状の誘導面１３に沿って係止部６の下部の四角形状の係合溝５と係合する。すなわち前記先細りの係合突部４の両側外壁面が係合溝５の両側に隣接する前記係止部６の両側内壁面に沿って係入し、且つ前記係合突部４の先端天壁面が、前記係合溝５の上部に隣接する係止部６の底壁面と係合する。前記係合溝５の両側に隣接する前記係止部６の両側内壁面が前記係合突部４の左右の動きをブロックし屈曲部８の力が前記係合突部４に伝導しないので該係合突部４は左右に動くことなく、前記チューブ１５も挟持部７ａ、７ｂから外れることなく確実に閉塞することができる。遮断したチューブ１５を解放するには、係止部６に形成した誘導面１３を親指で押し開くことで、屈曲部８の反動により係合した係合突部４と係合溝５が外れると同時にチューブ１５を押圧挟持していた挟持部７ａ、７ｂも解放されチューブ１５の閉塞も解除される。
【０００９】
前記のように挿入孔１０ａ、１０ｂを通り、挟持部７ａ、７ｂで押圧挟持したチューブ１５は前記係合突部４と係合溝５の係合により、挟持部７ａ、７ｂの左右の動きがなくなると同時にチューブ１５の外れがなくなるが、更に安全性を増す為に前記チューブ１５が押圧挟持した挟持部７ａ、７ｂの間から外れない様に連結部１４の両側に壁９を形成することができる。前記壁９を形成することによりクランプ１の開閉する際のチューブ１５の撓みを防ぐことができ、前記チューブ１５が挟持部７ａ、７ｂから外れることは完全に解消される。
【００１０】
図５は参考例のクランプ１のその他の実施例を示すクランプ１１で、（ａ）はチューブ１５を装着した時の側面図で（ｂ）はその斜視図である。クランプ１１は前記連結部１４の両側に形成した壁９を省略したクランプである。該クランプ１１は前記クランプ１と同じように封止部材３の幅より狭く形成し先細りの係合突部４の幅の両側外壁面と、前記係止部６の幅より狭い四角形状の係合溝５に隣接する前記係止部６の両側内壁面が係合することにより前記係合突部４は左右に動くことはない。従って挿入孔１０ａ、１０ｂに通り挟持部７ａ、７ｂにより押圧挟持されたチューブ１５も左右に動くことはないので壁９を省略することができる。
【００１１】
図６は本発明の実施例を示すクランプ２１Ａで、装着したチューブ１５を閉塞した時の斜視図である。前記クランプ２１Ａは、前記封止部材３の先端に該封止部材３と同じ幅の係合突部４ａを設け、係止部６ａ及び連結部１４の両外壁側に亘って壁９ａを形成したものである。その他の形状は前記クランプ１、１１と実質的に同じなので各構成部品の説明は省略する。係合突部４ａの両側壁面は前記壁９ａの両側内壁面に沿って係入し、前記係合突部４ａの先端天壁面が前記係合溝５ａの上部に隣接する係止部６ａの底部壁面と係合する。前記壁９ａの両側内壁面が、前記係合突部４ａの左右の動きをブロックするので、係合突部４ａは左右に動くことはなくなる。
更に詳述すれば、押圧部１２を押した時、係合突部４ａの両側外壁面は前記壁９ａの両側内壁面に沿って係入されると共に前記係合突部４ａの先端は誘導面１３に沿って係入するので、前記係合突部４ａは左右に動くことなく係合溝５ａと係合することができる。
更に前記係合突部４ａの先端天壁面が前記係合溝５ａの上部に隣接する係止部６ａの底部壁面と係合することで、屈曲部８の力が前記係合突部４ａに伝導しないので、前記チューブ１５も挟持部７ａ、７ｂから外れることなく確実にチューブ１５を閉塞することができる。
更に前記誘導面１３の壁９ａの先端は、係合突部４ａを誘導面１３に導入しやすくするために多少外側に広げた方が良い。
【００１２】
図７は本発明のその他の実施例を示すクランプ２１Ｂで、装着したチューブ１５を閉塞した時の斜視図である。前記クランプ２１Ｂは、前記クランプ２１Ａの係止部６ａ及び連結部１４の両外側に亘って形成した壁９ａの代わりに、封止部材３の先端に形成した係合突部４ａの両側に板状の壁９ｂを形成したものである。前記板状の壁９ｂは図示した略半円形状や四角形状でも良い。その他の形状は前記クランプ２１Ａと実質的に同じなので各構成部品の説明は省略する。前記壁９ｂの両側内壁面は、前記係止部６ａ及び連結部１４の両側外壁面に沿って係入し、前記係合突部４ａの先端天壁面が前記係合溝５ａの上部に隣接する係止部６ａの底部壁面に係合する。
前記壁９ｂの両側内壁面が前記係合突部４ａの左右の動きをブロックするので、前記係合突部４ａは左右に動くことがなくなる。さらに前記係合突部４ａの先端天壁面が前記係合溝５ａの上部に隣接する前記係止部６の底壁面と係合することで、前記クランプ２１Ａと同様に屈曲部８の力が前記係合突部４ａに伝導しないので前記チューブ１５も挟持部７ａ、７ｂから外れることなく確実にチューブ１５を閉塞することができる。
【００１３】
クランプ２１Ａ及び２１Ｂも図１のクランプ１と同様に連結部１４の両側に壁９を形成することで、更に安全性を増しチューブ１５が挟持部７ａ、７ｂから外れることは完全に解消される。
【００１４】
前記クランプ２１Ａ、２１Ｂに形成した係合突部４ａが、係止部６ａの下側に形成した係合溝５ａに係合し且つ前記係合突部４ａが左右に動かないようにできれば、前記壁９ａ、９ｂの形状は何でも良く、形成位置もどこでも良い。
【００１５】
前記クランプ１（１１、２１Ａ、２１Ｂ）に使用される材質はポリプロピレンやポリアセタール等の合成樹脂で、成形が容易にでき且つ軽く屈曲部８のような反発弾性を有することができる合成樹脂の材質であれば特に限定しない。
【００１６】
クランプ１（１１、２１Ａ、２１Ｂ）は透析用血液回路や高カロリー輸液バックや輸液セット等の医療用具に装着することができ、該医療用具の構成部品のチューブに装着したクランプ１（１１、２１Ａ、２１Ｂ）を用いて押圧挟持した時に確実にチューブの流路を遮断することができる。
【図面の簡単な説明】
【００１７】
【図１】参考例のチューブ１５を通した時のクランプ１の展開図で（ａ）は該クランプ１の側面図で、（ｂ）は平面図、（ｃ）は正面図、（ｄ）は背面図、（ｅ）はＡ−Ａ′の断面図、（ｆ）はＢ−Ｂ′の断面図
【図２】図１（ａ）のクランプ１の斜視図
【図３】参考例のクランプ１に装着したチューブ１５を挟持した時の該クランプ１の展開図で（ａ）は側面図で、（ｂ）は平面図、（ｃ）は正面図、（ｄ）は背面図、（ｅ）はＡ−Ａ′の断面図、（ｆ）はＢ−Ｂ′の断面図
【図４】図３（ａ）のクランプ１の斜視図
【図５】参考例のその他の実施例を示す（ａ）はクランプ１１の側面図で（ｂ）は該クランプ１１の斜視図
【図６】本発明の実施例を示すクランプ２１Ａの斜視図
【図７】本発明のその他の実施例を示すクランプ２１Ｂの斜視図
【図８】従来のクランプ３１にチューブを挟持した時の概略図で（ａ）は側面図と（ｂ）はその斜視図
【符号の説明】
【００１８】
１、１１、２１Ａ  クランプ
２１Ｂ、３１  クランプ
２  底部
３、３３  封止部材
４、４ａ、３４  係合突部
５、５ａ、３５  係合溝
６、６ａ、３６  係止部
７ａ、７ｂ  挟持部
８  屈曲部
９、９ａ、９ｂ  壁
１０ａ、１０ｂ  挿入孔
１２  押圧部
１３  誘導面
１４  連結部
１５  チューブ
【図１】
2005169146.tif 000003
【図２】
2005169146.tif 000004
【図３】
2005169146.tif 000005
【図４】
2005169146.tif 000006
【図５】
2005169146.tif 000007
【図６】
2005169146.tif 000008
【図７】
2005169146.tif 000009
【図８】
2005169146.tif 000010